(57)【要約】【課題】地盤側の凹凸面に対する安定的な設置状態が簡便に得られ、しかも施工面全体に対してむらの少ない緑化が可能な緑化法枠を提供する。【解決手段】アンカー等の定着材２を用いて地盤に定着される吹付け型の受圧構造物１をそれぞれ独立して点在した状態に設置するとともに、それらの受圧構造物１相互間に水や養分が通過可能な間隙部を備えた仕切り部材３を設置して緑化用土を仕切る。【選択図】図１
2006083670.tif 000002
【特許請求の範囲】
【請求項１】
アンカー等の定着材を用いて地盤に対して定着される吹付け型の受圧構造物をそれぞれ独立して点在した状態に設置するとともに、それらの受圧構造物相互間に設置した水や養分が通過可能な間隙部を備えた仕切り部材によって緑化用土を仕切ることにより緑化法枠を形成することを特徴とする緑化法枠形成方法。
【請求項２】
前記受圧構造物の形成領域内に前記仕切り部材の端部の一部を挿入した状態でコンクリート等の硬化材を吹付けることにより、受圧構造物の形成と同時に仕切り部材の端部を受圧構造物に連結固定するようにした請求項１に記載の緑化法枠形成方法。
【請求項３】
前記受圧構造物をコンクリート等の硬化材の吹付けにより形成した後に、定着材を用いて地盤に対して定着させるようにした請求項１又は２に記載の緑化法枠形成方法。
【請求項４】
アンカー等の定着材を用いて地盤に対して定着され、それぞれ独立して点在した状態に設置された複数の吹付け型の受圧構造物と、それらの受圧構造物相互間に設置された水や養分が通過可能な間隙部を備えた仕切り部材とより構成したことを特徴とする緑化法枠。
【発明の詳細な説明】
【技術分野】
【０００１】
本発明は、地山などの斜面を補強するとともに植生により緑化を図る緑化法枠に関する。
【背景技術】
【０００２】
地山などの斜面を補強する方法として、受圧構造物を用いる方法は従来から広く知られている（特許文献１、特許文献２参照）。しかしながら、これらの受圧構造物を用いた従来技術の場合には、地盤側の凹凸面に対する受圧構造物の設置状態が不安定であったり、その安定的設置のために複雑な構成が必要とされるといった技術的問題があった。また、緑化用土として客土を使用することが困難であるとともに、表層部の部分的なすべりなどにより永続的なむらの少ない緑化を図ることは困難であった。
【特許文献１】特許第３４６１１４２号公報
【特許文献２】特開２００２−１５５５３５号公報
【０００３】
他方、斜面上に設置される長尺の縦枠相互間に複数段の横方向の客土支持部材を設置して緑化を図るものも知られている（特許文献３参照）。しかしながら、この従来技術の場合には、施工面全体が前記縦枠により仕切られ、その縦枠によって、水や養分の移動が遮断され植物の生育状態に差が出たり、草木の根部などの水平方向への拡がりが阻害されることから、施工面全体に対する緑化にむらが生じやすいといった技術的問題があった。しかも、縦枠により緑化のできないコンクリートの縦筋が残るため、景観上の問題もあった。
【特許文献３】特許第２９５２８２３号公報
【発明の開示】
【発明が解決しようとする課題】
【０００４】
本発明は、以上のような従来の技術的状況に鑑み、地盤側の凹凸面に対する安定的な設置状態が簡便に得られ、しかも施工面全体に対して平均的でむらの少ない緑化が可能な緑化法枠を提供することを目的とする。
【課題を解決するための手段】
【０００５】
本発明では、前記課題を解決するため、アンカー等の定着材を用いて地盤に対して定着される吹付け型の受圧構造物をそれぞれ独立して点在した状態に設置するとともに、それらの受圧構造物相互間に設置した水や養分が通過可能な間隙部を備えた仕切り部材によって緑化用土を仕切ることにより緑化法枠を形成するという技術手段を採用した。ここで緑化用土とは、自然の表層土をそのまま使用するものでもよいし、他の場所から補給される客土であってもよい。なお、前記受圧構造物の形成領域内に前記仕切り部材の端部の一部を挿入した状態でコンクリート等の硬化材を吹付けることにより、受圧構造物の形成と同時に仕切り部材の端部を受圧構造物に連結固定するようにしてもよい。また、前記受圧構造物をコンクリート等の硬化材の吹付けにより形成した後に、ロックボルト等の定着材を用いて地盤に対して定着させるようにしてもよい。もちろん、受圧構造物の本体を構成する金網等からなる型枠をアンカー等の定着材を用いて地盤に対して定着させた後に、硬化材を吹付けて固化させるようにしてもよい。
【発明の効果】
【０００６】
本発明においては、吹付け型受圧構造物の点在した状態での設置と、それらの受圧構造物相互間に対する水や養分が通過可能な間隙部を備えた仕切り部材の設置とを組合わせて採用したので、次の効果を得ることができる。
（１）受圧構造物の周囲に従来の縦枠のように水や養分の通過を遮断する障害物は存在しないので、各受圧構造物の周辺部も含めて施工面全体に対して平均的でむらの少ない良質の緑化が可能である。
（２）受圧構造物として吹付け型を採用したので、地盤側の凹凸面に対する安定的な設置状態が簡便かつ的確に得られ、永続性にも優れた緑化法枠を提供することができる。
（３）コンクリート等の硬化材の部分は点在する受圧構造物の部分だけであり、しかも受圧構造物の配置に関する自由度は大きく、かつそれらの受圧構造物の周辺部も含めて全体的にむらの少ない良質の緑化が可能なことから、景観のきわめて良好な法枠を提供することができる。
【発明を実施するための最良の形態】
【０００７】
前記受圧構造物は、所定の設置位置に設置した金網等からなる型枠に対してコンクリートやモルタル等の硬化材を吹付けて受圧構造物を形成する吹付け型のものであれば、その具体的な形状に関しては、十字状のもの、Ｙ字状のもの、Ｉ字状のものなど適宜の形状ものが可能である。また、各受圧構造物の向きや配置に関しても自由であり、例えば各受圧構造物を後述の図１のように縦横に直線状に配置した形態だけでなく、ランダムに点在させることも可能である。アンカーやロックボルト等の定着材を用いた受圧構造物の地盤に対する定着作業の時期に関しては、前述のように硬化材の吹付け前の型枠の設置時にアンカーを用いて定着させる形態でもよいし、硬化材を吹付け固化して形成された受圧構造物をロックボルトを用いて後から定着させる形態でもよい。各受圧構造物相互間に設置される仕切り部材の具体的構成に関しては、各種の金網からなるもの、エキスパンドメタルからなるもの、有孔板からなるものなど、少なくとも水や養分が通過しうる間隙部を備えたものであればよい。草木の根部などが通過し得る大きさの間隙部を有するものであってもよいことはいうまでもない。因みに、仕切り部材の設置状態に関しては、少なくともその一部が最終的に緑化用土中に埋設され、緑化用土の移動を防止し得るものであればよく、受圧構造物に対しては、その一部を埋込んだものでもよいし、独立させたものでもよい。例えば、仕切り部材の設置後に客土を補給する場合には、その客土の補給後の状態において少なくとも一部が埋設されるものであればよい。また、その設置方向に関しては、土の下方への移動を防止し得るものであれば足り、例えば縦方向の仕切り部材の設置を省略して横方向にのみ設置する形態や、設置高さが異なる受圧構造物間に傾斜させて設置する形態であってもよい。
【実施例】
【０００８】
図１は本発明に係る緑化法枠の施工状態を例示した施工状態説明図である。図中１は吹付け型の受圧構造物であり、図示のように本実施例では十字状のものを採用し、その交差部に設けた定着材２により地盤に対する定着状態を強化している。図示のように、各受圧構造物１はそれぞれ独立して点在した状態に設置するとともに、本実施例では、それらの受圧構造物１相互間の縦横方向に仕切り部材３を配設して地表の緑化用土を仕切るようにしている。すなわち、周囲を受圧構造物１と仕切り部材３により囲まれた分割領域４内の緑化用土は、それらの受圧構造物１と仕切り部材３とによって、当該分割領域４内に留まるように移動が制限され、緑化の永続性が確保されることになる。
【０００９】
図２〜図４は受圧構造物を形成するための型枠に関する実施例を示した断面構成図である。図２に示した型枠５は、両側の網状型枠板６，７と、それらの間を所定間隔に保持して連結するための間隔保持部材を構成する、横部材８，９及び縦部材１０，１１から構成され、網状型枠板６，７と横部材８，９との連結部において回動し得るようにして折畳み可能に構成してもよい。受圧構造物１の形成に当っては、型枠５を拡開して拡げた状態で地盤上の目的位置に設置する。この場合には、図１に示したように適宜方法にて中央部で直交するように設置するとともに、図２に示したように鉄筋１２〜１５を貫通し、さらに中央部の直交部分において鉄筋１２〜１５や横部材８，９を介してアンカー等の定着材２により地盤に定着させる。しかる後、その目的位置に十字状に設置された型枠５の両側の網状型枠板６，７間にコンクリート等の硬化材を吹付け、それらの網状型枠板６，７の網目を通じて外部へ漏出する硬化材を均すことにより受圧構造物１が形成される。なお、場合に応じて、コンクリート等の硬化材が固化して受圧構造物１が形成された後に、ロックボルトやグラウンドアンカー等の定着材２を用いて地盤に定着させるようにしてもよい。
【００１０】
図３に示した型枠１６は、両側の網状型枠板１７，１８と、間隔保持部材を構成する横部材１９〜２１及び縦部材２２，２３から構成され、地盤上の目的位置に先組みされた鉄筋２４〜２７からなる鉄筋かごに対して、下方の横部材２０，２１相互間の開口部を介して図示のように被せることにより型枠を形成するように構成したものであり、その余の事項は前記実施例と同様である。また、図４に示した型枠２８は、それぞれ、網状型枠板２９，３０と、横部材３１〜３４と、縦部材３５，３６からなる一対の部分型枠３７，３８から構成され、地盤上の目的位置に先組みされた鉄筋３９〜４２からなる鉄筋かごに対して、図示のように側方から引っ掛けることにより型枠を形成するように構成したものであり、その余の事項は前記実施例と同様である。
【００１１】
図５及び図６は受圧構造物を形成するための他のタイプの型枠に関する実施例を示した平面構成図である。図５に示した型枠４３は、Ｌ字状の網状型枠板４４と間隔保持部材４５，４６とからなる部分型枠４７を４個用いて十字状の型枠を形成し、コンクリート等の硬化材を吹付けることにより、図示のように受圧構造物１を形成するように構成したものである。また、図６に示した型枠４８は、十字状を縦に二分割した多角形の網状型枠板４９と間隔保持部材５０，５１とからなる部分型枠５２を２個用いて十字状の型枠を形成し、コンクリート等の硬化材を吹付けることにより、図示のように受圧構造物１を形成するように構成したものである。因みに、これらの実施例の場合にも、適宜の時期にロックボルトやグラウンドアンカー等の定着材２を用いて地盤に定着させることになる。
【００１２】
図７は受圧構造物相互間に配設される仕切り部材に関する実施例を示した正面図であり、図８はその側面図である。図示のように、本実施例に係る仕切り部材３は、横線材５３と縦線材５４とからなるクリンプ金網を用い、その網目を水や養分が通過可能な間隙部５５として使用したものである。この仕切り部材３の設置に当たっては、図１に示したように各受圧構造物１の相互間に配設することになるが、その場合に、横線材５３の両端部を仕切り部材３の形成領域内、例えば上述の型枠内に一部を挿入した状態でコンクリート等の硬化材を吹付けるようにすれば、受圧構造物１の形成と同時に仕切り部材３の端部を受圧構造物１に的確かつ強固に連結固定することができ、作業性の向上にも有効である。因みに、仕切り部材３は、前述のように最終的に一部が緑化用土中に埋込まれるようにしてもよいし、全部が埋込まれるようにしてもよい。また、その設置方向に関しては、図１に示したように縦横方向に設置して分割領域４を格子状に形成する形態のもののほか、縦方向の仕切り部材３を省略した横方向だけの形態のものや、仕切り部材３を斜め方向に設置する形態のものでもよい。要は、独立して点在した状態に設置された各受圧構造物１相互間に仕切り部材３を配設して緑化用土を仕切ることにより、それらの受圧構造物１と仕切り部材３により囲まれた分割領域４内の緑化用土のずれ落ちを防止し得るものであればよい。
【００１３】
図９は受圧構造物の断面形状を例示した断面図であり、図示のように前記受圧構造物１の断面形状に関しては、正方形のもの（イ）、長方形のもの（ロ）、台形のもの（ハ）など、適宜の断面形状のものが可能である。また、図１０は受圧構造物の平面形状を例示した平面図であり、図示のように前記受圧構造物１の平面形状に関しては、図１の実施例でも採用した十字状のもの（Ａ）、Ｘ字状のもの（Ｂ）、Ｙ字状のもの（Ｃ）、逆Ｙ字状のもの（Ｄ）、Ｉ字状のもの（Ｅ）、横一字状のもの（Ｆ）など、適宜の平面形状のものが可能である。受圧構造物１の形状は、それらの断面形状と平面形状との組合わせから選定することになる。因みに、Ｘ字状のもの（Ｂ）、Ｙ字状のもの（Ｃ）、逆Ｙ字状のもの（Ｄ）を使用する場合は、斜め方向に設置される仕切り部材３と適合しやすい。
【００１４】
図１１は他の形態の仕切り部材を受圧構造物相互間に配設した状態を示した平面図である。本実施例に係る仕切り部材５６は、錆びにくい素材から金網状に形成され、例えばその四隅に設けたリング状の固定部５７に図示しない締付けボルト等の適宜の固定具を挿通して両側の受圧構造物１の上面に固定される。その正面部５８は、両側の側面部５９，６０によって例えば垂直に立設するように調整される。また、正面部５の下部には突状の仕切り部６１が形成され、その仕切り部６１が受圧構造物１相互間に挿入され、最終的に緑化用土内に埋込まれることにより、緑化用土のずれ落ちを防止する機能を奏することになる。なお、この仕切り部６１の部分は、例えば法面に直交するように正面部５８に対して折曲げ調整してもよい。本実施例の場合には、前記仕切り部材５６の内側に客土を収容することにより緑化用土の増量を図ることが可能であるとともに、景観の向上にも有効である。
【図面の簡単な説明】
【００１５】
【図１】本発明に係る緑化法枠の施工状態を例示した施工状態説明図である。
【図２】受圧構造物を形成するための型枠に関する実施例を示した断面構成図である。
【図３】同型枠に関する他の実施例を示した断面構成図である。
【図４】同型枠に関する他の実施例を示した断面構成図である。
【図５】受圧構造物を形成するための他のタイプの型枠に関する実施例を示した平面構成図である。
【図６】同型枠に関する他の実施例を示した平面構成図である。
【図７】受圧構造物相互間に配設される仕切り部材に関する実施例を示した正面図である。
【図８】同実施例を示した側面図である。
【図９】受圧構造物の断面形状を例示した断面図である。
【図１０】受圧構造物の平面形状を例示した平面図である。
【図１１】他の形態の仕切り部材を受圧構造物相互間に配設した状態を示した平面図である。
【符号の説明】
【００１６】
１…受圧構造物、２…定着材、３…仕切り部材、４…分割領域、５…型枠、６，７…網状型枠板、８，９…横部材、１０，１１…縦部材、１２〜１５…鉄筋、１６…型枠、１７，１８…網状型枠板、１９〜２１…横部材、２２，２３…縦部材、２４〜２７…鉄筋、２８…型枠、２９，３０…網状型枠板、３１〜３４…横部材、３５，３６…縦部材、３７，３８…部分型枠、３９〜４２…鉄筋、４３…型枠、４４…網状型枠板、４５，４６…間隔保持部材、４７…部分型枠、４８…型枠、４９…網状型枠板、５０，５１…間隔保持部材、５２…部分型枠、５３…横線材、５４…縦線材、５５…間隙部、５６…仕切り部材、５７…固定部、５８…正面部、５９，６０…側面部、６１…仕切り部
【図１】
2006083670.tif 000003
【図２】
2006083670.tif 000004
【図３】
2006083670.tif 000005
【図４】
2006083670.tif 000006
【図５】
2006083670.tif 000007
【図６】
2006083670.tif 000008
【図７】
2006083670.tif 000009
【図８】
2006083670.tif 000010
【図９】
2006083670.tif 000011
【図１０】
2006083670.tif 000012
【図１１】
2006083670.tif 000013